(57)【要約】【課題】例えば、自然で多様な表情、ポーズ又は動作を撮影できるように図ることが可能になる撮影支援装置、撮影装置及び撮影支援方法を提供すること。【解決手段】撮影支援装置（３０）は撮影装置本体（２０）に接続される。撮影支援装置（３０）は、被写体にコンテンツデータを提示可能に配設された提示部（３４）と、コンテンツデータを記憶するデータ記憶部と、データ記憶部に記憶されたコンテンツデータのうち少なくとも一つの選択を受け付ける選択受付部と、選択されたコンテンツデータを提示部（３４）に提示させるよう制御する提示制御部と、を含む、【選択図】図１
2010128009.tif 000002
【特許請求の範囲】
【請求項１】
撮影装置本体に接続される撮影支援装置であって、
被写体にコンテンツデータを提示可能に配設された提示部と、
コンテンツデータを記憶するデータ記憶部と、
前記データ記憶部に記憶された前記コンテンツデータのうち少なくとも一つの選択を受け付ける選択受付部と、
選択されたコンテンツデータを前記提示部に提示させるよう制御する提示制御部と、
を含むことを特徴とする撮影支援装置。
【請求項２】
請求項１に記載の撮影支援装置において、
前記提示部は、前記被写体に少なくとも画像データを提示する表示部を含み、
前記コンテンツデータは、前記表示部に表示するための画像データを含み、
前記提示制御部は、前記選択されたコンテンツデータに含まれる画像データを前記表示部に表示させるよう制御する、
ことを特徴とする撮影支援装置。
【請求項３】
請求項１又は２に記載の撮影支援装置において、
前記提示部は前記撮影装置本体に含まれる撮像レンズの近傍に設置可能に設けられていることを特徴とする撮影支援装置。
【請求項４】
請求項１乃至３のいずれかに記載の撮影支援装置において、
前記提示制御部は、前記撮影装置本体に含まれる半押し操作及び全押し操作が可能なシャッターボタンの前記半押し操作に基づいて、前記選択されたコンテンツデータの提示タイミングを制御することを特徴とする撮影支援装置。
【請求項５】
撮影装置本体に接続される撮影支援装置であって、
被写体に提示可能に配設された可動式の物体と、
前記物体の動作を制御するための動作制御データを記憶するデータ記憶部と、
前記データ記憶部に記憶された前記動作制御データのうち少なくとも一つの選択を受け付ける選択受付部と、
選択された動作制御データに基づいて前記物体を動作させる物体制御部と、
を含むことを特徴とする撮影支援装置。
【請求項６】
請求項５に記載の撮影支援装置において、
前記物体は前記撮影装置本体に含まれる撮像レンズの近傍に設置可能に設けられていることを特徴とする撮影支援装置。
【請求項７】
請求項５又は６に記載の撮影支援装置において、
前記物体制御部は、前記撮影装置本体に含まれる半押し操作及び全押し操作が可能なシャッターボタンの前記半押し操作に基づいて、前記選択された動作制御データに基づく前記物体の動作制御の開始タイミングを制御することを特徴とする撮影支援装置。
【請求項８】
被写体にコンテンツデータを提示可能に配設された提示部と、
コンテンツデータを記憶するデータ記憶部と、
前記データ記憶部に記憶された前記コンテンツデータのうち少なくとも一つの選択を受け付ける選択受付部と、
選択されたコンテンツデータを前記提示部に提示させるよう制御する提示制御部と、
を含むことを特徴とする撮影装置。
【請求項９】
被写体に提示可能に配設された可動式の物体と、
前記物体の動作を制御するための動作制御データを記憶するデータ記憶部と、
前記データ記憶部に記憶された前記動作制御データのうち少なくとも一つの選択を受け付ける選択受付部と、
選択された動作制御データに基づいて前記物体を動作させる物体制御部と、
を含むことを特徴とする撮影装置。
【請求項１０】
被写体にコンテンツデータを提示可能に配設された提示部に提示させるコンテンツデータを記憶してなるデータ記憶部の記憶内容を読み出すデータ読み出しステップと、
前記データ記憶部に記憶されたコンテンツデータのうち少なくとも一つの選択を受け付ける選択受付ステップと、
選択されたコンテンツデータを前記提示部に提示させるよう制御する提示制御ステップと、
を含むことを特徴とする撮影支援方法。
【請求項１１】
被写体に提示可能に配設された可動式の物体の動作を制御するための動作制御データを記憶してなるデータ記憶部の記憶内容を読み出すデータ読み出しステップと、
前記データ記憶部に記憶された前記動作制御データのうち少なくとも一つの選択を受け付ける選択受付ステップと、
選択された動作制御データに基づいて前記物体を動作させる動作制御ステップと、
を含むことを特徴とする撮影支援方法。
【発明の詳細な説明】
【技術分野】
【０００１】
本発明は撮影支援装置、撮影装置及び撮影支援方法に関する。
【背景技術】
【０００２】
近年、デジタルカメラやビデオカメラの普及に伴い、さまざまな場面で写真を撮影する機会が増加している。特に日常生活の中で家族や友人などの写真を撮影する機会が多い。
【発明の開示】
【発明が解決しようとする課題】
【０００３】
一般に人物を撮影する場合、日常生活でみせるような自然で多様な表情、ポーズ又は動作を撮影することは難しい。例えば、多くの人は、カメラを向けられることによって緊張した表情になってしまう。また例えば、撮影に慣れている人は表情を作ってしまい、いつも同じ表情になってしまう傾向がある。
【０００４】
本発明は上記課題に鑑みてなされたものであって、その目的は、例えば、自然で多様な表情、ポーズ又は動作を撮影できるように図ることが可能になる撮影支援装置、撮影装置及び撮影支援方法を提供することにある。
【課題を解決するための手段】
【０００５】
上記課題を解決するために、本発明に係る撮影支援装置は、撮影装置本体に接続される撮影支援装置であって、被写体にコンテンツデータを提示可能に配設された提示部と、コンテンツデータを記憶するデータ記憶部と、前記データ記憶部に記憶された前記コンテンツデータのうち少なくとも一つの選択を受け付ける選択受付部と、選択されたコンテンツデータを前記提示部に提示させるよう制御する提示制御部と、を含むことを特徴とする。
【０００６】
また、本発明に係る撮影装置は、被写体にコンテンツデータを提示可能に配設された提示部と、コンテンツデータを記憶するデータ記憶部と、前記データ記憶部に記憶された前記コンテンツデータのうち少なくとも一つの選択を受け付ける選択受付部と、選択されたコンテンツデータを前記提示部に提示させるよう制御する提示制御部と、を含むことを特徴とする。
【０００７】
また、本発明に係る撮影支援方法は、被写体にコンテンツデータを提示可能に配設された提示部に提示させるコンテンツデータを記憶してなるデータ記憶部の記憶内容を読み出すデータ読み出しステップと、前記データ記憶部に記憶されたコンテンツデータのうち少なくとも一つの選択を受け付ける選択受付ステップと、選択されたコンテンツデータを前記提示部に提示させるよう制御する提示制御ステップと、を含むことを特徴とする。
【０００８】
本発明によれば、例えば、自然で多様な表情、ポーズ又は動作を撮影できるように図ることが可能になる。
【０００９】
また、本発明の一態様では、前記提示部は、前記被写体に少なくとも画像データを提示する表示部を含むようにしてもよい。前記コンテンツデータは、前記表示部に表示するための画像データを含んでもよい。前記提示制御部は、前記選択されたコンテンツデータに含まれる画像データを前記表示部に表示させるよう制御するようにしてもよい。なお、「画像データ」には静止画データ及び動画データの両方が含まれる。
【００１０】
また、本発明の一態様では、前記提示部は前記撮影装置本体に含まれる撮像レンズの近傍に設置可能に設けられていてもよい。
【００１１】
また、本発明の一態様では、前記提示制御部は、前記撮影装置本体に含まれる半押し操作及び全押し操作が可能なシャッターボタンの前記半押し操作に基づいて、前記選択されたコンテンツデータの提示タイミングを制御するようにしてもよい。
【００１２】
また、本発明に係る撮影支援装置は、撮影装置本体に接続される撮影支援装置であって、被写体に提示可能に配設された可動式の物体と、前記物体の動作を制御するための動作制御データを記憶するデータ記憶部と、前記データ記憶部に記憶された前記動作制御データのうち少なくとも一つの選択を受け付ける選択受付部と、選択された動作制御データに基づいて前記物体を動作させる物体制御部と、を含むことを特徴とする。
【００１３】
また、本発明に係る撮影装置は、被写体に提示可能に配設された可動式の物体と、前記物体の動作を制御するための動作制御データを記憶するデータ記憶部と、前記データ記憶部に記憶された前記動作制御データのうち少なくとも一つの選択を受け付ける選択受付部と、選択された動作制御データに基づいて前記物体を動作させる物体制御部と、を含むことを特徴とする。
【００１４】
また、本発明に係る撮影支援方法は、被写体に提示可能に配設された可動式の物体の動作を制御するための動作制御データを記憶してなるデータ記憶部の記憶内容を読み出すデータ読み出しステップと、前記データ記憶部に記憶された前記動作制御データのうち少なくとも一つの選択を受け付ける選択受付ステップと、選択された動作制御データに基づいて前記物体を動作させる動作制御ステップと、を含むことを特徴とする。
【００１５】
本発明によれば、例えば、自然で多様な表情、ポーズ又は動作を撮影できるように図ることが可能になる。
【００１６】
また、本発明の一態様では、前記物体は前記撮影装置本体に含まれる撮像レンズの近傍に設置可能に設けられていてもよい。
【００１７】
また、本発明の一態様では、前記物体制御部は、前記撮影装置本体に含まれる半押し操作及び全押し操作が可能なシャッターボタンの前記半押し操作に基づいて、前記選択された動作制御データに基づく前記物体の動作制御の開始タイミングを制御するようにしてもよい。
【発明を実施するための最良の形態】
【００１８】
本発明の実施形態の例について図面に基づき詳細に説明する。
【００１９】
［第１実施形態］
図１及び図２は本発明の第１実施形態に係る撮影装置の外観の一例を示す模式図である。図１は撮影装置１０の正面を示しており、図２は撮影装置１０の背面を示している。図３は撮影支援装置３０が撮影装置本体２０に装着される前の状態を示す図である。図４は撮影装置１０のハードウェア構成の一例を示す図である。
【００２０】
これらの図に示すように、第１実施形態に係る撮影装置１０は、撮影装置本体２０と、撮影装置本体２０の上面２１ｂ上に固定される撮影支援装置３０と、を含んで構成される。
【００２１】
撮影装置本体２０は例えばデジタルカメラである。図１に示すように、撮影装置本体２０の正面２１ａにはレンズ２４ａが設けられている。また図２に示すように、撮影装置本体２０の背面２１ｃには表示部２５及び操作ボタン２６ｂ，２６ｃ，２６ｄが設けられている。表示部２５は例えば有機ＥＬ（Electro Luminescence）ディスプレイ又は液晶ディスプレイであり、表示部２５には、例えばレンズ２４ａを介してファインダーが捉えた撮影範囲や撮影された画像が表示される。操作ボタン２６ｂ，２６ｃ，２６ｄは、例えば撮影モードの選択や過去の撮影画像データの表示及び削除などの各種操作に用いられる。
【００２２】
また図３に示すように、撮影装置本体２０の上面２１ｂにはシャッターボタン２６ａ及びホットシュー２７ａが設けられている。ホットシュー２７ａは、外部装置を撮影装置本体２０に装着するためのインタフェースであり、主に外部ストロボを撮影装置本体２０に装着するために用いられる。図５はホットシュー２７ａの一例について説明するための図である。図５は、撮影装置本体２０の背面２１ｃ側からホットシュー２７ａを見た場合を示している。図５に示すように、ホットシュー２７ａは、５つの信号端子２７ｂ，２７ｃ，２７ｄ，２７ｅ，２７ｆと、２つのレール（ガイド）部２７ｇと、を有している。レール部２７ｇは外部装置を撮影装置本体２０に固定するための役割を果たし、信号端子２７ｂ〜２７ｆは外部装置を撮影装置本体２０に電気的に接続するための役割を果たす。信号端子２７ｂ〜２７ｆからは、シャッターボタン２６ａの押下状態、レンズ２４ａのズーム状態、絞り値や、シャッタースピードなどを示す信号が出力される。外部装置をホットシュー２７ａを介して撮影装置本体２０に装着することによって、外部装置が撮影装置本体２０に固定され、かつ、電気的に接続される。本実施形態の場合、ホットシュー２７ａは撮影支援装置３０を撮影装置本体２０に装着するために用いられる。
【００２３】
撮影装置本体２０のハードウェア構成について説明する。図４に示すように、撮影装置本体２０は制御部２２、記憶部２３、撮像部２４、表示部２５、操作受付部２６、及びインタフェース部２７を含む。制御部２２は例えばマイクロプロセッサであり、撮影装置本体２０の各部を制御したり、各種情報処理を実行する。記憶部２３は例えばＲＡＭ（Random Access Memory）、ＲＯＭ（Read Only Memory）、及びメモリカードなどの情報記憶媒体を含む。例えば、制御部２２によって実行されるプログラムが記憶部２３に記憶される。また例えば、撮影装置本体２０によって撮影された画像を示す撮影画像データが記憶部２３に記憶される。撮像部２４は、レンズ２４ａと、レンズ２４ａから入ってきた光をデジタル信号に変換する撮像素子と、を含む。操作受付部２６は例えばシャッターボタン２６ａ及び操作ボタン２６ｂ，２６ｃ，２６ｄを含み、ユーザの操作を受け付ける。インタフェース部２７は、外部装置を撮影装置本体２０に電気的に接続するためのインタフェースである。本実施形態の場合、ホットシュー２７ａがインタフェース部２７に相当する。
【００２４】
撮影装置本体２０のシャッターボタン２６ａは、いわゆる半押し操作と全押し操作との２段階の押下操作を可能に構成されており、撮影装置本体２０では、シャッターボタン２６ａの半押し操作が行われた場合に、撮影のための前処理として、例えば露出及び焦点調整処理等が実行される。その後、シャッターボタン２６ａの全押し操作が行われた場合に、撮影画像データが取得され、記憶部２３に保存される。なお、「半押し操作」と「全押し操作」とはシャッターボタン２６ａの押下の程度が異なる操作であり、「半押し操作」はシャッターボタン２６ａの押下の程度が「全押し操作」に比べて小さい操作である。
【００２５】
撮影支援装置３０は撮影を支援するためのものであり、具体的には、被写体（被撮影者）の視線が撮影装置１０に向けられるように支援するとともに、被写体の自然で多様な表情、ポーズ又は動作を撮影できるように支援する。
【００２６】
撮影支援装置３０はホットシュー２７ａを介して撮影装置本体２０の上面２１ｂに装着される。撮影支援装置３０は撮影装置本体２０のレンズ２４ａの近傍に装着される。なお、撮影支援装置３０は外部ストロボなどと同様に容易に付け外しを行えるようになっている。
【００２７】
図１に示すように、撮影支援装置３０の正面３１ａには正面表示部３４が設けられている。また図２に示すように、撮影支援装置３０の背面３１ｂには背面表示部３５及び操作スティック３６ａが設けられている。操作スティック３６ａは撮影支援装置３０の筐体に傾倒自在に支持されている。また、操作スティック３６ａは軸方向に押下することが可能になっており、操作ボタンとしても機能する。操作スティック３６ａは、撮影者が両手で撮影装置１０の両端を持って、右手の人差し指でシャッターボタン２６ａを操作し、左手の親指で操作スティック３６ａを操作できるような位置に設けられる。正面表示部３４及び背面表示部３５は例えば有機ＥＬディスプレイ又は液晶ディスプレイである。正面表示部３４は被写体に画像データを見せるために用いられ、背面表示部３５は、被写体に見せる画像データを撮影者が選択及び確認するために用いられる。撮影装置１０（撮影支援装置３０）では、例えば、被写体の緊張を和らげるような画像データを正面表示部３４に表示することによって、被写体の視線が撮影装置１０に向けられるように図るとともに、被写体の自然で多様な表情、ポーズ又は動作を撮影できるように図るようになっている。この点の詳細については後述する。
【００２８】
また図３に示すように、撮影支援装置３０の底面にはシューコネクタ３７ａが設けられる。シューコネクタ３７ａは、撮影装置本体２０に備えられるホットシュー２７ａに対応するコネクタである。シューコネクタ３７ａはホットシュー２７ａと結合可能な形状を有しており、シューコネクタ３７ａをホットシュー２７ａに結合した場合、レール部２７ｇによって撮影支援装置３０が固定されるようになっている。図６はシューコネクタ３７ａを真下から見た場合を示す図である。図６に示すように、シューコネクタ３７ａには５つの信号端子３７ｂ，３７ｃ，３７ｄ，３７ｅ，３７ｆが設けられる。これらの信号端子３７ｂ，３７ｃ，３７ｄ，３７ｅ，３７ｆは、それぞれ、ホットシュー２７ａの信号端子２７ｂ，２７ｃ，２７ｄ，２７ｅ，２７ｆに対応している。すなわち、信号端子３７ｂ〜３７ｆは、ホットシュー２７ａにおける信号端子２７ｂ〜２７ｆの位置に対応する位置にそれぞれ設けられており、シューコネクタ３７ａがホットシュー２７ａと結合した場合に、シューコネクタ３７ａの信号端子３７ｂ〜３７ｆがホットシュー２７ａの信号端子２７ｂ〜２７ｆとそれぞれ接するようになっている。その結果、ホットシュー２７ａの信号端子２７ｂ〜２７ｆから出力される信号がシューコネクタ３７ａの信号端子３７ｂ〜３７ｆに入力されるようになっている。以上のように、シューコネクタ３７ａをホットシュー２７ａと結合することによって、撮影支援装置３０が撮影装置本体２０に固定され、かつ、電気的に接続される。
【００２９】
撮影支援装置３０のハードウェア構成について説明する。図４に示すように、撮影支援装置３０は制御部３２、記憶部３３、正面表示部３４、背面表示部３５、操作受付部３６、及びインタフェース部３７を含む。制御部３２は例えばマイクロプロセッサであり、撮影支援装置３０の各部を制御したり、各種情報処理を実行する。記憶部３３は例えばＲＡＭ、ＲＯＭ、及びメモリカードなどの情報記憶媒体を含む。例えば、制御部３２によって実行されるプログラムが記憶部３３に記憶される。操作受付部３６は例えば操作スティック３６ａを含み、ユーザの操作を受け付ける。操作スティック３６ａの操作状態（傾倒状態や押下状態）を示す信号が制御部３２に供給される。制御部３２はその信号に基づいて操作スティック３６ａの操作状態を判断することができる。インタフェース部３７は、撮影支援装置３０を撮影装置本体２０に接続するためのインタフェースである。本実施形態の場合、シューコネクタ３７ａがインタフェース部３７に相当する。なお、上述したように、撮影装置本体２０のシャッターボタン２６ａの押下状態を示す信号がインタフェース部２７，３７（ホットシュー２７ａ及びシューコネクタ３７ａ）を介して撮影支援装置３０に供給される。制御部３２は、この信号に基づいて、シャッターボタン２６ａの半押し操作又は全押し操作が行われたか否かを判断することができる。なお、撮影支援装置３０は音声を出力するための音声出力部を含むようにしてもよい。
【００３０】
上述したように、撮影支援装置３０は、正面表示部３４に画像データを表示することによって、被写体の視線が撮影装置１０に向けられるように支援するとともに、被写体の自然で多様な表情、ポーズ又は動作を撮影できるように支援するようになっている。以下、撮影支援装置３０の動作について詳細に説明する。
【００３１】
図７は撮影支援装置３０において実現される機能を示す機能ブロック図である。図７に示すように、撮影支援装置３０は提示部４０、データ記憶部４１、選択受付部４２、及び提示制御部４３を含む。
【００３２】
提示部４０は被写体にコンテンツデータを提示可能に配設される。提示部４０は被写体によって注目されるものであり、被写体の注目を引きつける役割を果たす。第１実施形態の場合、正面表示部３４が提示部４０に相当する。なお、正面表示部３４及び音声出力部の組合せが提示部４０に相当するようにしてもよい。
【００３３】
データ記憶部４１は例えば記憶部３３によって実現される。データ記憶部４１はコンテンツデータを記憶する。コンテンツデータは例えば画像データ（静止画データ又は動画データ）、文章データ、音声データ、あるいはそれらの組合せである。第１実施形態の場合、コンテンツデータは正面表示部３４に表示するための画像データである。なお、コンテンツデータは画像データ及び音楽データの組合せであってもよい。
【００３４】
データ記憶部４１には例えば下記のような要件を満たす画像データが記憶される。
（１）被写体の注目を集めやすい。
（２）被写体が関心を持ちやすい。
（３）被写体の自然で多様な表情、ポーズ又は動作を引き出しやすい。
【００３５】
上記（１）〜（３）の要件のうち少なくとも一つの要件を満たす画像データの例としては、人の顔の写真データが挙げられる。例えば、被写体の友人や撮影者自身の写真データが挙げられる。一般的に人（例えば被写体の友人や撮影者自身）の顔は被写体の注目を集めやすく、被写体の関心を引きやすいからである。
【００３６】
また、上記（１）〜（３）の要件のうち少なくとも一つの要件を満たす画像データの他の例としては、ペット、ぬいぐるみやキャラクタなど、多くの人にかわいらしさを感じさせるような画像データが挙げられる。
【００３７】
さらに、上記（１）〜（３）の要件のうち少なくとも一つの要件を満たす画像データの他の例としては、表情を表す画像データが挙げられる（後述の図９，１０参照）。ある表情（例えば笑顔）を表す画像データを見た被写体は一般的にその表情をまねると期待され、このような画像データは被写体の自然で多様な表情を引き出しやすいと考えられるからである。また、上記（１）〜（３）の要件のうち少なくとも一つの要件を満たす画像データの他の例としては、ポーズのシルエットを表す画像データも挙げられる。あるポーズのシルエットを示す画像データを見た被写体は一般的にそのポーズをまねると期待され、このような画像データは被写体の自然で多様なポーズや動作を引き出しやすいと考えられるからである。
【００３８】
なお、動画（アニメーション）データは静止画データに比べて被写体の注目を集めやすく、被写体の関心を引きやすいと考えられる。また、正面表示部３４の大きさが比較的小さいことや、被写体と撮影装置（正面表示部３４）とが比較的離れる場合もあることなどを考慮すると、複雑な画像データよりも単純な画像データの方が被写体の注目を集めやすく、被写体の関心を引きやすいと考えられる。
【００３９】
データ記憶部４１は、データ記憶部４１に記憶される画像データを管理するための画像管理テーブルを記憶する。図８は画像管理テーブルの一例を示す。図８に示すように、画像管理テーブルは「グループＩＤ」、「グループ名」、「画像データＩＤ」、及び「画像データ名」フィールドを含む。「グループＩＤ」は画像データが属するグループ（カテゴリ）の識別情報を示し、「グループ名」は画像データが属するグループの名称を示す。また、「画像データＩＤ」は画像データの識別情報を示し、「画像データ名」は画像データのファイル名を示す。
【００４０】
画像データのグループの例としては、例えば「表情」、「シルエット」、「キャラクタ」、「ぬいぐるみ」、「家族」、「知人」、「ペット」、又は「風景」などが挙げられる。「表情」グループは、表情の例を示す画像データが属するグループである。図９及び図１０は、「表情」グループに属する画像データの例を示す。図９は笑顔を示す画像データであり、図１０は驚いている表情を示す画像データである。「シルエット」グループは、ポーズのシルエットの例を示す画像データが属するグループである。例えば、両手でピースサインを作っている人のシルエットが表された画像データや、両手を腰に当てて立っている人のシルエットが表された画像データなどが「シルエット」グループに属する。「キャラクタ」グループは、例えば人や動物等を模したキャラクタに関する画像データが属するグループである。「ぬいぐるみ」グループはぬいぐるみの写真データが属するグループである。「家族」グループは家族の写真データが属するグループである。「知人」グループは知人の写真データが属するグループである。「ペット」グループはペットの写真データが属するグループである。「風景」グループは風景に関する画像データが属するグループである。
【００４１】
なお、データ記憶部４１に記憶される画像データは、撮影装置１０の所持者が任意に変えることができるようになっている。
【００４２】
選択受付部４２及び提示制御部４３は例えば制御部３２を主として実現される。選択受付部４２は、データ記憶部４１に記憶される複数のコンテンツデータのうち少なくとも一つの選択を受け付ける。提示制御部４３は、撮影者によって選択されたコンテンツデータを提示部４０に提示させるよう制御する。
【００４３】
第１実施形態の場合、選択受付部４２は、データ記憶部４１に記憶される複数の画像データのうちのいずれかの選択を受け付ける。提示制御部４３は、撮影者によって選択された画像データを提示部４０（正面表示部３４）に表示する。なお、提示部４０には音声出力部が含まれるようにしてもよく、画像データ及び音楽データの組合せが撮影者によって選択された場合に、提示制御部４３は画像データを正面表示部３４に表示するとともに、音楽データを音声出力部から出力するようにしてもよい。
【００４４】
図１１は選択受付部４２及び提示制御部４３の動作について説明するためのフロー図である。図１１に示すように、まず選択受付部４２はグループ選択画面を背面表示部３５に表示する（Ｓ１０１）。図１２はグループ選択画面の一例を示す。グループ選択画面５０は、いずれかのグループを選択するように撮影者に案内する画面である。図１２に示すグループ選択画面５０では、９つのグループに対応する９つのグループ画像５２がグループ選択画面５０の中心５１を囲むように表示されている。なお、図１２に示す例では、グループ名を表す画像がグループ画像５２として表示されているが、グループに属する画像データのうちの代表的な画像データがグループ画像５２として表示されるようにしてもよい。撮影者は、所望のグループ画像５２が存在する方向に操作スティック３６ａを一定時間（例えば１秒間）傾倒し続けることによって、所望のグループを選択する。例えば、「表情」グループに対応するグループ画像５２はグループ選択画面５０内の左上領域に表示されているため、「表情」グループを選択する場合、撮影者は操作スティック３６ａを左上に一定時間傾倒し続ける。
【００４５】
撮影者がいずれかのグループを選択した場合、選択受付部４２は画像選択画面を背面表示部３５に表示する（Ｓ１０２）。図１３は画像選択画面の一例を示す。画像選択画面６０は、選択されたグループに属する画像データのうちのいずれかを選択するように撮影者に案内する画面である。図１３に示す画像選択画面６０では、グループ選択画面５０で選択されたグループに属する９つの画像データ６２が画像選択画面６０の中心６１を囲むように表示されている。撮影者は、所望の画像データ６２が表示されている方向に操作スティック３６ａを一定時間（例えば１秒間）傾倒し続けることによって、所望の画像データ６２を選択する。例えば、「笑顔」を表す画像データ６２は画像選択画面６０内の中央上領域に表示されているため、「笑顔」を表す画像データ６２を選択する場合、撮影者は操作スティック３６ａを真上に一定時間傾倒し続ける。
【００４６】
撮影者がいずれかの画像データを選択した場合、選択受付部４２は、選択された画像データを背面表示部３５に表示する（Ｓ１０３）。この場合、選択された画像データが背面表示部３５の画面全体に表示される（図２参照）。
【００４７】
なお、上記のような操作方法が採用されていることによって、撮影者はグループ選択操作及び画像選択操作を左手の親指一本で比較的容易に行うことができる。
【００４８】
その後、提示制御部４３はシャッターボタン２６ａの半押し操作が行われたか否かを監視する（Ｓ１０４）。上述したように、シャッターボタン２６ａの半押し操作が行われたか否かは、撮影装置本体２０からインタフェース部２７，３７を介して供給される信号に基づいて判断される。
【００４９】
シャッターボタン２６ａの半押し操作が行われた場合、撮影装置本体２０では例えば露出及び焦点調整処理などが実行される。一方、撮影支援装置３０では、シャッターボタン２６ａの半押し操作が行われたと判定された場合（Ｓ１０４：Ｙ）、提示制御部４３が画像選択画面６０で選択された画像データを正面表示部３４に表示する（Ｓ１０５）。すなわち、背面表示部３５に表示されている画像データが正面表示部３４に表示される（図１，２参照）。正面表示部３４は被写体から見えるように設けられているため、撮影者が選択した画像データが被写体の目に触れることになる。
【００５０】
その後、提示制御部４３はシャッターボタン２６ａの全押し操作が行われたか否かを監視する（Ｓ１０６）。上述したように、シャッターボタン２６ａの全押し操作が行われたか否かも、撮影装置本体２０からインタフェース部２７，３７を介して供給される信号に基づいて判断される。
【００５１】
シャッターボタン２６ａの全押し操作が行われた場合、撮影装置本体２０では撮影処理が実行され、撮影画像データが取得される。取得された撮影画像データは記憶部２３に保存される。なお、上記のように、撮影装置１０（撮影支援装置３０）では、シャッターボタン２６ａの半押し操作に基づいて、画像データの正面表示部３４への表示タイミングが制御される。すなわち、撮影装置１０（撮影支援装置３０）ではシャッターボタン２６ａの半押し操作が行われたタイミングで画像データが正面表示部３４に表示される。このため、ちょうど被写体に焦点が合った状態で画像データが被写体の目に触れるようになり、その結果、画像データを見た直後の被写体の表情やリアクションが撮影されるようになる。
【００５２】
一方、撮影支援装置３０では、シャッターボタン２６ａの全押し操作が行われたと判定された場合（Ｓ１０６：Ｙ）、シャッターボタン２６ａの全押し操作が行われてから一定期間が経過したタイミングで正面表示部３４及び背面表示部３５が初期化される（Ｓ１０７）。例えば、正面表示部３４はいずれの画像データも表示されていない状態に戻り、背面表示部３５はグループ選択画面５０が表示された状態に戻る。
【００５３】
以上に説明した撮影装置１０（撮影支援装置３０）では、撮影が実行される際に、被写体の表情、ポーズや動作を誘導するようなコンテンツデータが提示部４０によって被写体に提示される。その結果、被写体は該コンテンツデータの影響を受け、該コンテンツデータに対応する表情やポーズを作ったり、該コンテンツデータに対応する動作を行ったりするようになる。例えば、友人やぬいぐるみの写真データが提示部４０によって被写体に提示された場合、被写体は友人やぬいぐるみの写真データに気を許して自然な笑顔を見せるようになる。また例えば、ある表情を表す画像データが提示部４０によって被写体に提示された場合、被写体はその表情をまねるようになる。さらに例えば、あるポーズのシルエットを表す画像データが提示部４０によって被写体に提示された場合、被写体はそのポーズをまねるようになる。このように、撮影装置１０（撮影支援装置３０）によれば、被写体の多様な表情、ポーズ又は動作を撮影できるようになる。
【００５４】
また、撮影装置１０（撮影支援装置３０）では、被写体の注意が提示部４０によって提示されるコンテンツデータに向けられるため、被写体は、撮影されているという意識が希薄になり、被写体の緊張が和らげられる。その結果、日常生活でみせるような自然な表情を撮影できるようになる。
【００５５】
また、撮影装置１０（撮影支援装置３０）では、被写体は提示部４０（正面表示部３４）によって提示されたコンテンツデータ（画像データ）に注目するようになるため、被写体の視線が撮影装置１０に向けられるようになる。例えば、子供を撮影する際には撮影装置１０の方を向いてくれず、そもそも撮影自体が困難になってしまう場合が多いが、撮影装置１０（撮影支援装置３０）によれば、子供が注目を引くようなコンテンツデータを提示することによって、子供の視線が撮影装置１０に向けられるように図ることが可能になる。
【００５６】
特に、撮影装置１０（撮影支援装置３０）では提示部４０（正面表示部３４）がレンズ２４ａの近傍に設けられているため、被写体の視線がレンズ２４ａ付近に向けられるようになる。なお、カメラとディスプレイとを併用するシステム（例えばテレビ会議システム）では、カメラとディスプレイとのずれに起因する視線の不一致が問題になる場合がある。ここで、この点について検討する。テレビ電話のカメラの位置に関する研究（南，人間−機械インタフェース特集／４．２テレビ電話機，信学誌，５６（１１）：ｐ．１４８５−１４９０，１９７３）によると、視差の検知限界は約２度、許容限界は約９度とされている。例えば、本実施形態に係る撮影支援装置３０におけるレンズ２４ａと正面表示部３４との中心同士の間隔が約６ｃｍである場合、被写体と撮影装置１０との間の距離が３８ｃｍ以下になると許容限界を超える。しかしながら、実際にはこれほど被写体と撮影装置１０とが近づいた状態で撮影が行われることが稀であるため、実用上は問題ないと考える。なお、被写体と撮影装置１０との間の距離が１ｍ程度になれば、視差は３．４度とかなり小さいものになる。
【００５７】
また、撮影装置１０（撮影支援装置３０）では、被写体に提示するコンテンツデータを撮影者が選択できるようになっている。例えば、撮影者は、被写体に作らせたい表情及びポーズや被写体に行わせたい動作を考慮してコンテンツデータを選択することができる。例えば、被写体の表情を笑顔にしたい場合、撮影者は図９に示すような画像データを選択することができる。なお、撮影者は被写体の種別（例えば、大人又は子供、男性又は女性）を考慮してコンテンツデータを選択することも可能になっている。
【００５８】
また、撮影装置１０（撮影支援装置３０）では、シャッターボタン２６ａの半押し操作に基づいて、コンテンツデータの提示タイミングが制御される。具体的には、シャッターボタン２６ａの半押し操作が行われたタイミングでコンテンツデータ（画像データ）が提示部４０（正面表示部３４）によって提示される。このため、ちょうど被写体に焦点が合った状態でコンテンツデータが被写体に提示されるようになる。その結果、コンテンツデータが提示された直後の被写体の表情やリアクションを撮影できるようになる。なお、撮影装置１０（撮影支援装置３０）では、撮影者は、画像選択画面６０で選択された画像データを正面表示部３４に表示するための操作を、撮影のための操作（シャッターボタン２６ａの半押し操作及び全押し操作）とは別に行う必要がなくなる。すなわち、撮影装置１０（撮影支援装置３０）によれば撮影者の手間が軽減される。
【００５９】
また、撮影装置１０（撮影支援装置３０）では撮影装置１０を手で持って撮影するという従来の撮影スタイルが踏襲される。すなわち、多くの人が慣れ親しんでおり、構図の自由度も高い撮影スタイルが踏襲される。
【００６０】
［第２実施形態］
本発明の第２実施形態は、可動式の物体を画像データの代わりに用いて被写体の多様な表情、ポーズ又は動作を引き出す点を特徴とする。
【００６１】
図１４及び図１５は、第２実施形態に係る撮影装置１０ａの外観の一例を示す模式図である。図１４は撮影装置１０ａの正面を示しており、図１５は撮影装置１０ａの背面を示している。図１６は第２実施形態に係る撮影装置１０ａのハードウェア構成の一例を示す図である。図１４〜１６において、第１実施形態と同一の構成要素については同じ符号を付しており、これらの構成要素については説明を省略する。なお、第２実施形態に係る撮影支援装置３０ａもシューコネクタ３７ａを備えており、このシューコネクタ３７ａが撮影装置本体２０のホットシュー２７ａに結合されることによって、撮影支援装置３０ａが撮影装置本体２０に固定され、かつ、電気的に接続される。
【００６２】
第２実施形態に係る撮影支援装置３０ａは、被写体に見せるためのフィギア３８を含む。フィギア３８はレンズ２４ａの近傍に設置される。フィギア３８は可動式のフィギアである。制御部３２とフィギア３８とは電気的に接続されており、フィギア３８の動作を制御するための信号が制御部３２からフィギア３８に供給されるようになっている。
【００６３】
図１７は、第２実施形態に係る撮影支援装置３０ａにおいて実現される機能を示す機能ブロック図である。図１７に示すように、第２実施形態に係る撮影支援装置３０ａは物体４０ａ、データ記憶部４１ａ、選択受付部４２ａ、及び物体制御部４３ａを含む。以下、各機能ブロックの動作ついて説明する。
【００６４】
物体４０ａは、被写体に提示可能に配設された可動式の物体である。物体４０ａは、例えば、人、動物、又は架空の生物などを模した物体である。第２実施形態ではフィギア３８が物体４０ａに相当する。
【００６５】
データ記憶部４１は例えば記憶部３３によって実現される。データ記憶部４１ａは、物体４０ａの動作を制御するための動作制御データを複数記憶する。第２実施形態では、フィギア３８の動作（姿勢変化）を制御するための動作制御データがデータ記憶部４１ａに記憶される。ここで、動作制御データは、下記の要件を満たすような動作を物体４０ａ（フィギア３８）が行うように制御するためのデータであり、例えば、多数の人がかわいいと感じるような動作を物体４０ａ（フィギア３８）に行わせるためのデータである。
（１）被写体の注目を集めやすい。
（２）被写体が関心を持ちやすい。
（３）被写体の自然で多様な表情、ポーズ又は動作を引き出しやすい。
【００６６】
選択受付部４２ａは、データ記憶部４１ａに記憶される複数の動作制御データのうちのいずれかの選択を受け付ける。例えば、選択受付部４２ａは、データ記憶部４１ａに記憶される複数の動作制御データのうちのいずれかを選択するための画面を背面表示部３５に表示し、いずれかの動作制御データを撮影者に選択させる。
【００６７】
物体制御部４３ａは、撮影者によって選択された動作制御データに基づいて、物体４０ａを動作させる。例えば、物体制御部４３ａは、シャッターボタン２６ａの半押し操作に基づいて、撮影者によって選択された動作制御データに基づく物体４０ａの動作制御の開始タイミングを制御する。例えば、物体制御部４３ａは、シャッターボタン２６ａの半押し操作が行われた場合に、撮影者によって選択された動作制御データに基づく物体４０ａの動作制御を開始する。第２実施形態の場合、物体制御部４３ａは、撮影者によって選択された動作制御データに基づいて、フィギア３８を動作させる。具体的には、撮影者によって選択された動作制御データに対応する信号がフィギア３８に供給され、その信号に基づいてフィギア３８が動作する。
【００６８】
第２実施形態に係る撮影装置１０ａ（撮影支援装置３０ａ）では、撮影が実行される際に、被写体の表情、ポーズ又は動作を誘導するような動作を物体４０ａが行う。物体４０ａは被写体から見えるように設置されているため、物体４０ａの動作は被写体の目に触れることになる。その結果、被写体は物体４０ａの動作の影響を受け、物体４０ａの動作に対応する表情やポーズを作ったり、物体４０ａの動作に対応する動作を行ったりするようになる。撮影装置１０ａ（撮影支援装置３０ａ）によっても、被写体の多様な表情、ポーズ又は動作を撮影できるようになる。
【００６９】
また、撮影装置１０ａ（撮影支援装置３０ａ）では、被写体の注意が物体４０ａに向かうため、被写体は、撮影されているという意識が希薄になり、被写体の緊張が和らげられる。その結果、日常生活でみせるような自然な表情を撮影できるようになる。
【００７０】
また、撮影装置１０ａ（撮影支援装置３０ａ）では被写体は物体４０ａに注目するようになる。その結果、被写体の視線が撮影装置１０ａに向けられるようになる。
【００７１】
また、撮影装置１０ａ（撮影支援装置３０ａ）では、例えば、撮影者は、被写体に作らせたい表情及びポーズや被写体に行わせたい動作を考慮して、物体４０ａの動作制御データを選択することが可能になる。
【００７２】
また、撮影装置１０ａ（撮影支援装置３０ａ）では、シャッターボタン２６ａの半押し操作に基づいて、物体４０ａの動作制御の開始タイミングが制御される。具体的には、シャッターボタン２６ａの半押し操作が行われたタイミングで物体４０ａの動作が開始される。このため、ちょうど被写体に焦点が合った状態で物体４０ａの動作が被写体の目に触れるようになる。その結果、物体４０ａの動作を見た直後の被写体の表情やリアクションを撮影できるようになる。
【００７３】
［他の実施形態］
なお、本発明は以上に説明した第１実施形態及び第２実施形態に限定されるものではない。
【００７４】
例えば、撮影装置本体２０はデジタルカメラに限られず、一眼レフカメラ又はビデオカメラであってもよい。また例えば、撮影装置本体２０はカメラ機能付き携帯電話であってもよい。
【００７５】
また例えば、インタフェース部２７，３７はホットシュー２７ａ及びシューコネクタ３７ａ以外のインタフェースであってもよい。つまり、撮影装置本体２０と撮影支援装置３０，３０ａとはホットシュー２７ａ及びシューコネクタ３７ａ以外のインタフェースを介して接続されるようにしてもよい。
【００７６】
また例えば、撮影装置本体２０と撮影支援装置３０，３０ａとはあらかじめ一体的に構成されるようにしてもよい。言い換えれば、撮影支援装置３０，３０ａが撮影装置本体２０の一部として構成されるようにしてもよい。この場合、撮影支援装置３０，３０ａの制御部３２を省略し、撮影装置本体２０の制御部２２が撮影支援装置３０，３０ａの各部を制御するようにしてもよい。また、撮影支援装置３０，３０ａの記憶部３３を省略し、記憶部３３に記憶されることとして説明したデータは撮影装置本体２０の記憶部２３に記憶されるようにしてもよい。また、撮影支援装置３０，３０ａの背面表示部３５を省略し、背面表示部３５に表示されることとして説明した画面や画像データは撮影装置本体２０の表示部２５に表示されるようにしてもよい。さらに、撮影支援装置３０，３０ａの操作受付部３６を省略し、操作受付部３６の代わりに、撮影装置本体２０の操作ボタン２６ｂ，２６ｃ，２６ｄが用いられるようにしてもよい。
【図面の簡単な説明】
【００７７】
【図１】第１実施形態に係る撮影装置の外観の一例を示す模式図である。
【図２】第１実施形態に係る撮影装置の外観の一例を示す模式図である。
【図３】撮影支援装置が撮影装置本体に装着される前の状態を示す図である。
【図４】第１実施形態に係る撮影装置のハードウェア構成を示す図である。
【図５】ホットシューについて説明するための図である。
【図６】シューコネクタについて説明するための図である。
【図７】第１実施形態に係る撮影装置の機能ブロック図である。
【図８】画像管理テーブルの一例を示す図である。
【図９】画像データの一例を示す図である。
【図１０】画像データの一例を示す図である。
【図１１】選択受付部及び状態制御部の動作を示すフロー図である。
【図１２】グループ選択画面の一例を示す図である。
【図１３】画像選択画面の一例を示す図である。
【図１４】第２実施形態に係る撮影装置の外観の一例を示す模式図である。
【図１５】第２実施形態に係る撮影装置の外観の一例を示す模式図である。
【図１６】第２実施形態に係る撮影装置のハードウェア構成を示す図である。
【図１７】第２実施形態に係る撮影装置の機能ブロック図である。
【符号の説明】
【００７８】
１０，１０ａ  撮影装置、２０  撮影装置本体、２１ａ  正面、２１ｂ  上面、２１ｃ  背面、２２，３２  制御部、２３，３３  記憶部、２４  撮像部、２４ａ  レンズ、２５  表示部、２６，３６  操作受付部、２６ａ  シャッターボタン、２６ｂ，２６ｂ，２６ｃ  操作ボタン、２７，３７  インタフェース部、２７ａ  ホットシュー、２７ｂ，２７ｃ，２７ｄ，２７ｅ，２７ｆ，３７ｂ，３７ｃ，３７ｄ，３７ｅ，３７ｆ  信号端子、２７ｇ  レール部、３０，３０ａ  撮影支援装置、３１ａ  正面、３１ｂ  背面、３４  正面表示部、３５  背面表示部、３６ａ  操作スティック、３７ａ  シューコネクタ、３８  フィギア、４０  提示部、４０ａ  物体、４１，４１ａ  データ記憶部、４２，４２ａ  選択受付部、４３  提示制御部、４３ａ  物体制御部、５０  グループ選択画面、５１，６１  中心、５２  グループ画像、６０  画像選択画面、６２  画像データ。
【図１】
2010128009.tif 000003
【図２】
2010128009.tif 000004
【図３】
2010128009.tif 000005
【図４】
2010128009.tif 000006
【図５】
2010128009.tif 000007
【図６】
2010128009.tif 000008
【図７】
2010128009.tif 000009
【図８】
2010128009.tif 000010
【図９】
2010128009.tif 000011
【図１０】
2010128009.tif 000012
【図１１】
2010128009.tif 000013
【図１２】
2010128009.tif 000014
【図１３】
2010128009.tif 000015
【図１４】
2010128009.tif 000016
【図１５】
2010128009.tif 000017
【図１６】
2010128009.tif 000018
【図１７】
2010128009.tif 000019